(57)【要約】【課題】  ロックオン時に、キー操作を無効化するとともに省電力化し、アンロック時にロックオン時の実行状態を再現させる携帯通信端末を提供する。【解決手段】  ロックオン時に、キー操作を無効化するとともに、バックライトを消灯させ、更にアプリケーションプログラムを終了させて省電力化する。その際、アプリケーションプログラムの実行状態を保存し、アンロック時に、当該実行状態に基づいてアプリケーションプログラムの実行を再開させる。【選択図】  図８
2006066974.tif 000002
【特許請求の範囲】
【請求項１】
端末ロックの開始及び終了を指示するための第１の操作キーと、
液晶表示手段による画面表示を伴うアプリケーションプログラムを実行するアプリケーション実行手段と、
第１の操作キーによる操作入力に基づいて、第２の操作キーによる操作入力を無効化し、上記液晶表示手段のバックライトを消灯させ、上記アプリケーションプログラムの実行を終了させるための端末ロックを制御する端末ロック制御手段と、
端末ロックの開始時における上記アプリケーション実行手段の実行状態を記憶する実行状態記憶手段とを備え、
上記アプリケーション実行手段は、端末ロックの終了時に、上記アプリケーションプログラムを起動させ、上記実行状態記憶手段に記憶されている実行状態に基づいて、上記アプリケーションプログラムの実行を再開することを特徴とする携帯通信端末。
【請求項２】
上記アプリケーション実行手段は、端末ロックの終了時に、端末ロックの開始時における実行状態から、アプリケーションプログラムの実行を再開することを特徴とする請求項１に記載の携帯通信端末。
【請求項３】
上記アプリケーション実行手段は、表示順序が予め定められた表示データを順次に画面表示させるアプリケーションプログラムの実行中に端末ロックが開始された場合、端末ロックの終了時に、端末ロックの開始時における表示データよりも上記表示順序を遡った表示データから画面表示を再開することを特徴とする請求項１に記載の携帯通信端末。
【請求項４】
上記アプリケーション実行手段は、フレーム画像データを順次に生成する動画像再生手段からなり、
上記実行状態記憶手段は、端末ロックの開始時に、上記アプリケーション実行手段が再生中のフレーム情報を記憶することを特徴とする請求項１に記載の携帯通信端末。
【請求項５】
上記アプリケーション実行手段は、フレーム画像データを順次に生成する動画像再生手段からなり、端末ロックの終了時に、端末ロックの開始時に再生中であったフレームよりも前のフレームからフレーム画像データの生成を再開することを特徴とする請求項３に記載の携帯通信端末。
【請求項６】
端末ロックの終了が指示された場合に、パスワード認証を行うパスワード認証手段を備え、
上記アプリケーション実行手段は、上記パスワード認証が成功した場合に、上記アプリケーションプログラムを起動させ、上記実行状態記憶手段に記憶されている実行状態に基づいて、上記アプリケーションプログラムの実行を再開することを特徴とする請求項１に記載の携帯通信端末。
【請求項７】
上記アプリケーション実行手段に対し、画面表示が制限されたシークレットデータについて画面表示を許可するシークレット管理手段を備え、
上記パスワード認証手段は、シークレット管理手段によるシークレットデータの画面表示の許可後に端末ロックが開始された場合に、端末ロックの終了時にパスワード認証を行うことを特徴とする請求項６に記載の携帯通信端末。
【請求項８】
上記パスワード認証手段は、上記アプリケーション実行手段によるシークレットデータの画面表示中に端末ロックが開始された場合に、端末ロックの終了時にパスワード認証を行うことを特徴とする請求項７に記載の携帯通信端末。
【請求項９】
外部機器との間で無線通信を行う無線通信手段を備え、
上記端末ロック制御手段は、上記無線通信手段による無線通信中に端末ロックの開始が指示された場合、第２の操作キーによる操作入力を無効化し、その後の上記無線通信の終了後に、上記液晶表示手段のバックライトを消灯させ、上記アプリケーションプログラムの実行を終了させることを特徴とする請求項１に記載の携帯通信端末。
【請求項１０】
外部機器との間で赤外線通信を行う赤外線通信手段を備え、
上記端末ロック制御手段は、上記赤外線通信手段による無線通信中に端末ロックの開始が指示された場合、第２の操作キーによる操作入力を無効化し、その後の上記赤外線通信の終了後に、上記液晶表示手段のバックライトを消灯させ、上記アプリケーションプログラムの実行を終了させることを特徴とする請求項１に記載の携帯通信端末。
【請求項１１】
上記第１の操作キーは、薄型筐体の端面に設けられたスライド式スイッチからなることを特徴とする請求項１から１０のいずれかに記載の携帯通信端末。
【請求項１２】
上記第２の操作キーは、薄型筐体の端面に設けられた操作キーからなることを特徴とする請求項１から１１のいずれかに記載の携帯通信端末。
【発明の詳細な説明】
【技術分野】
【０００１】
本発明は、携帯通信端末に係り、さらに詳しくは、キーロックとともに省電力化を行う端末ロック機能を有する携帯通信端末、例えば、携帯電話機の改良に関する。
【背景技術】
【０００２】
小型軽量の携帯電話機は、バッグやポケットに入れて携行される場合が多く、このような携行時にキー操作が行われ、ユーザの意に反して動作する場合があった。例えば、オフフック操作が行われ、その後の着信ができなくなったり、リダイヤル発信が行われてしまう場合があった。携帯電話機の主電源をオフしておけば、このような誤操作を防止することができるが、携行時に着信することができなくなるという問題があった。
【０００３】
着信可能な状態を維持しながら、携行時などの非使用時における誤操作を防止するために、従来の携帯電話機には、いわゆるキーロック機能を有しているものがあった（例えば、特許文献１）。キーロックとは、ユーザ操作によりキーロック状態に移行させると、キーロックの終了操作を含む所定のキー操作を除き、その後のキー操作が無効化される機能である。
【０００４】
更に、従来の携帯電話機には、キーロック状態において液晶表示パネルのバックライトを消灯させ、省電力化を図っているものがあった（例えば、特許文献２）。キーロック時には、液晶表示装置の画面を確認することは少ないことから、キーロック設定時にバックライトを消灯させ、キーロック解除時にバックライトを点灯させて、消費電力を低減している。
【０００５】
【特許文献１】特開平９−２６６５０２号公報
【特許文献２】特開２００４−２３６５１号公報
【発明の開示】
【発明が解決しようとする課題】
【０００６】
最近の携帯電話機は、マイクロプロセッサや液晶表示装置を備え、通話だけでなく、データ通信機能を利用したメール送受信やインターネット接続などを行うことができるものが少なくない。また、通信機能の利用を前提としない様々なアプリケーションプログラムを実行することができるものもある。例えば、電子ゲーム、静止画又は動画の撮影や再生、電子ブックの閲覧、表計算を行うことができるものもある。このような携帯電話機を利用すれば、移動時間や短い待ち時間などのような細切れの時間にも、種々の情報処理を行うことが可能になる。
【０００７】
ところが、従来の携帯電話機では、キーロックの開始操作を行うことができるのは、待ち受け状態のみであり、アプリケーションプログラムの実行中はキーロック状態に移行させることができなかった。このため、ユーザは、実行中のアプリケーションプログラムを一旦終了させ、待受け画面を表示させた後に、キーロックの開始操作を行う必要があった。例えば、電子メールの編集中であれば、編集中のデータを保存し、メールプログラムを終了させてから、キーロックの開始操作を行う必要があった。このような一連の操作は煩雑であり、アプリケーションプログラムの実行中に、直ちにキーロック状態に移行させて携帯電話機を携行することはできないという問題があった。
【０００８】
また、キーロックの終了後に、中断していた情報処理を続行しようとすれば、中断前の実行状態と同じ状態に至るまでユーザ自身が操作を行う必要があった。すなわち、再び同じアプリケーションプログラムを起動させる操作を行った後、さらに、アプリケーションプログラム内において、前回の実行状態を再現させるための操作を行う必要があり、中断していた情報処理を直ちに続行することができないという問題があった。
【０００９】
本発明は、上記の事情に鑑みてなされたものであり、アプリケーションプログラムの実行中に端末ロックを行うことができる携帯通信端末を提供することを目的とする。すなわち、端末ロックの開始操作により、キー操作を無効化させるとともに、液晶表示手段のバックライトを消灯させ、更にアプリケーションプログラムを終了させて省電力化し、端末ロックの終了時に、端末ロックの実行状態を再現する携帯通端末を提供することを目的とする。
【００１０】
また、表示順序が予め定められた表示データを順次に画面表示させるアプリケーションプログラムの実行中に端末ロックが開始された場合、端末ロックの終了時に、端末ロックの開始時の表示状態に基づいて画面表示を再開する携帯通端末を提供することを目的とする。
【００１１】
また、表示順序が予め定められた表示データを順次に画面表示させるアプリケーションプログラムの実行中に端末ロックが開始された場合、上記表示順序を遡り、端末ロックの終了時に、端末ロックの開始時よりも前の画面データから画面表示を再開する携帯通信端末を提供することを目的とする。
【００１２】
また、動画像再生中に端末ロックが開始された場合、端末ロックの終了時に、端末ロックの開始時における再生位置に基づいて、動画像再生を開始する携帯通信端末を提供することを目的とする。特に、端末ロックの終了時に、端末ロックが開始時の再生位置よりも遡って、所定のフレーム数を再表示させる携帯通信端末を提供することを目的とする。
【課題を解決するための手段】
【００１３】
第１の本発明による携帯通信端末は、端末ロックの開始及び終了を指示するための第１の操作キーと、液晶表示手段による画面表示を伴うアプリケーションプログラムを実行するアプリケーション実行手段と、第１の操作キーによる操作入力に基づいて、第２の操作キーによる操作入力を無効化し、上記液晶表示手段のバックライトを消灯させ、上記アプリケーションプログラムの実行を終了させるための端末ロックを制御する端末ロック制御手段と、端末ロックの開始時における上記アプリケーション実行手段の実行状態を記憶する実行状態記憶手段とを備え、上記アプリケーション実行手段は、端末ロックの終了時に、上記アプリケーションプログラムを起動させ、上記実行状態記憶手段に記憶されている実行状態に基づいて、上記アプリケーションプログラムの実行を再開するように構成される。
【００１４】
この様な構成により、端末ロックが開始されてから終了されるまで、第２操作キーによる操作入力を無効化したキーロック状態になるとともに、液晶表示手段のバックライトを消灯させ、更に画面表示を伴うアプリケーションプログラムを終了させた省電力状態となる。その際、ロックオン時の実行状態を実行状態記憶手段に記憶させ、アンロック時には、この実行状態に基づいて、アプリケーションプログラムの実行を再開させる。つまり、アプリケーションプログラムの実行中であっても、ロックオン操作を行うことができる。また、ロックオン操作により、キーロックとともに省電力化が行われ、アンロック操作により、バックライトが点灯し、ロックオン時の実行状態に基づく画面表示が行われる。例えば、消灯時と同じ表示画面、又は、消灯時の表示画面の直後に続く表示画面を表示させることができる。
【００１５】
第２の本発明による携帯通信端末は、上記構成に加えて、上記アプリケーション実行手段が、端末ロックの終了時に、端末ロックの開始時における実行状態から、アプリケーションプログラムの実行を再開するように構成される。この様な構成により、端末ロックの終了時に、端末ロックの開始時と同じ実行状態となるように、例えば、同じ画面表示となるように、アプリケーションプログラムの実行を再開させることができる。
【００１６】
第３の本発明による携帯通信端末は、上記構成に加えて、上記アプリケーション実行手段が、表示順序が予め定められた表示データを順次に画面表示させるアプリケーションプログラムの実行中に端末ロックが開始された場合、端末ロックの終了時に、端末ロックの開始時における表示データよりも上記表示順序を遡った表示データから画面表示を再開するように構成される。
【００１７】
この様な構成により、端末ロックの終了後に、端末ロックの開始前に表示されていた表示画面を重複して表示させることができ、ユーザに、端末ロック前の閲覧内容を思い出させることができる。また、中断により理解しずらくなるようなコンテンツの場合であっても、端末ロックの終了後に連続して閲覧させることにより容易に理解することができる。表示順序が予め定められた表示データには、例えば、フレーム順に表示される動画像データや、ページ順に表示される電子書籍データなどが含まれる。
【００１８】
第４の本発明による携帯通信端末は、上記構成に加えて、上記アプリケーション実行手段が、フレーム画像データを順次に生成する動画像再生手段からなり、上記実行状態記憶手段が、端末ロックの開始時に、上記アプリケーション実行手段が再生中のフレーム情報を記憶するように構成される。この様な構成により、動画像再生中に端末ロックを開始した場合、端末ロックの終了後にその続きを再生することができる。
【００１９】
第５の本発明による携帯通信端末は、上記構成に加えて、上記アプリケーション実行手段が、フレーム画像データを順次に生成する動画像再生手段からなり、端末ロックの終了時に、端末ロックの開始時に再生中であったフレームよりも前のフレームからフレーム画像データの生成を再開するように構成される。この様な構成により、端末ロックの終了後に、端末ロックの開始前に表示されたフレーム画像データを再表示させることができる。
【００２０】
第６の本発明による携帯通信端末は、上記構成に加えて、端末ロックの終了が指示された場合に、パスワード認証を行うパスワード認証手段を備え、上記アプリケーション実行手段が、上記パスワード認証が成功した場合に、上記アプリケーションプログラムを起動させ、上記実行状態記憶手段に記憶されている実行状態に基づいて、上記アプリケーションプログラムの実行を再開するように構成される。
【００２１】
この様な構成により、ユーザ以外の第三者が端末ロックを終了させて、パスワード認証後の画面表示を閲覧するのを防止することができる。例えば、シークレットデータの閲覧中又はシークレットデータを閲覧可能な動作モードにおいて、端末ロックが行われた場合に、第三者が端末ロックを終了させることにより、シークレットデータが閲覧可能になるのを防止することができる。
【００２２】
第７の本発明による携帯通信端末は、上記構成に加えて、上記アプリケーション実行手段に対し、画面表示が制限されたシークレットデータについて画面表示を許可するシークレット管理手段を備え、上記パスワード認証手段が、シークレット管理手段によるシークレットデータの画面表示の許可後に端末ロックが開始された場合に、端末ロックの終了時にパスワード認証を行うように構成される。
【００２３】
第８の本発明による携帯通信端末は、上記構成に加えて、上記パスワード認証手段が、上記アプリケーション実行手段によるシークレットデータの画面表示中に端末ロックが開始された場合に、端末ロックの終了時にパスワード認証を行うように構成される。
【００２４】
第９の本発明による携帯通信端末は、上記構成に加えて、外部機器との間で無線通信を行う無線通信手段を備え、上記端末ロック制御手段は、上記無線通信手段による無線通信中に端末ロックの開始が指示された場合、第２の操作キーによる操作入力を無効化し、その後の上記無線通信の終了後に、上記液晶表示手段のバックライトを消灯させ、上記アプリケーションプログラムの実行を終了させるように構成される。
【００２５】
この様な構成により、無線通信中に端末ロックの開始が指示された場合、当該無線通信中は、省電力状態に移行させることなく、キーロック状態に移行させ、当該無線通信の終了後、速やかに端末ロックを行うことができる。
【００２６】
第１０の本発明による携帯通信端末は、上記構成に加えて、外部機器との間で赤外線通信を行う赤外線通信手段を備え、上記端末ロック制御手段は、上記赤外線通信手段による無線通信中に端末ロックの開始が指示された場合、第２の操作キーによる操作入力を無効化し、その後の上記赤外線通信の終了後に、上記液晶表示手段のバックライトを消灯させ、上記アプリケーションプログラムの実行を終了させるように構成される。
【００２７】
この様な構成により、赤外線通信中に端末ロックの開始が指示された場合、当該赤外線通信中は、省電力状態に移行させることなく、キーロック状態に移行させ、当該赤外線通信の終了後、速やかに端末ロックを行うことができる。
【００２８】
第１１の本発明による携帯通信端末は、上記構成に加えて、上記第１の操作キーが、薄型筐体の端面に設けられたスライド式スイッチからなる。
【００２９】
第１２の本発明による携帯通信端末は、上記構成に加えて、上記第２の操作キーが、薄型筐体の端面に設けられた操作キーからなる。
【発明の効果】
【００３０】
本発明による携帯通信端末は、端末ロックの開始操作により、キー操作を無効化させるとともに、液晶表示手段のバックライトを消灯させ、更にアプリケーションプログラムを終了させて省電力化している。従って、アプリケーションプログラムの実行中であっても、直ちに端末ロックを開始することができる。
【００３１】
また、端末ロックの終了後は、中断中のアプリケーションプログラムを起動させ、端末ロック開始時の実行状態に基づいて動作させている。従って、端末ロックの終了時に煩雑な操作を行うことなく、端末ロック開始前の作業、例えば、電子メールの編集、動画像の再生、電子書籍の閲覧、表計算などを直ちに再開することができる。
【００３２】
また、本発明による携帯通信端末は、表示順序が予め定められた表示データを順次に画面表示させるアプリケーションプログラムの実行中に端末ロックが開始された場合、上記表示順序を遡り、端末ロックの終了時に、端末ロックの開始時よりも前の画面データから画面表示を開始する。従って、端末ロックの終了後、端末ロック前の情報処理をスムーズに再開することができる。例えば、ユーザが端末ロック前の状態を思い出すことができ、また、連続して閲覧しなければ理解しにくい動画像であっても容易に理解することができる。
【００３３】
また、本発明による携帯通信端末は、端末ロックの終了時にパスワード認証を行っている。このため、シークレットデータの閲覧中又はシークレットデータを閲覧可能な動作モードにおいて、端末ロックが行われた場合に、第三者が端末ロックを終了させ、シークレットデータが閲覧可能になるのを防止することができる。つまり、ユーザは、シークレットモード中であっても、安心して、当該モードを終了させることなく、端末ロックを行うことができる。
【００３４】
また、本発明による携帯通信端末は、無線通信中又は赤外線通信中に端末ロックの開始操作が行われた場合に、当該通信の終了を待って端末ロックを開始させる。従って、端末ロックにより、無線通信及び赤外線通信に悪影響を与えることがない。
【発明を実施するための最良の形態】
【００３５】
実施の形態１．
図１〜図４は、本発明による携帯通信端末の一例を示した図であり、スイベル（ＳＷＩＶＥＬ）タイプの携帯電話機１の外観が示されている。この携帯電話機１は、操作筐体２及び表示筐体３を連結部４により可動連結して構成される。操作筐体２及び表示筐体３は、ともに概ね矩形平板の形状からなる薄型筐体であり、対向する２つの主面と、これらの主面を囲む端面（側面）とをそれぞれ有している。これらの操作筐体２及び表示筐体３は、それぞれの主面の一短辺付近において、２つの回転軸Ｘ１，Ｘ２に関して回転自在に連結されている。
【００３６】
第１回転軸Ｘ１は、両筐体２，３の主面に平行な回転軸であり、操作筐体２を固定しながら、第１回転軸Ｘ１を中心として表示筐体３を回転させれば、両筐体２，３の主面を対向させて折り畳むことができ、あるいは、展開させることができる。また、操作筐体２を固定しながら、第２回転軸Ｘ２を中心として表示筐体３を回転させれば、操作筐体２に対し、表示筐体３を裏返した状態にすることができる。
【００３７】
操作筐体２の一主面は、メインキー２０及び通話用マイクロフォン２１が配置され、操作パネルとして使用される。メインキー２０には、例えば、通話開始のためのオフフックキー、通話終了のためのオンフックキー、機能割り当てが画面表示される行われるガイドキー、テンキーなどが含まれている。操作筐体２の長手側の側面には、サイドキーとして、端末ロックを行うためのロックキー２２及びカメラ撮影のためのシャッターキー２３が設けられている。また、連結部４側の側面には、アンテナ２６が設けられている。さらに、操作筐体２の操作パネルとは反対側の主面には、カメラ２４及びモバイルライト２５が設けられている。
【００３８】
表示筐体３の一主面は、メイン表示画面３１、通話用レシーバ３３，３４及びフロントキー３５が配置され、表示パネルとして使用される。表示筐体３の表示パネルとは反対側の主面には、メイン表示画面３１よりも小型のサブ表示画面３２が設けられている。メイン表示画面３１及びサブ表示画面３２は、いずれも透過型の液晶パネルからなり、バックライトを備えている。
【００３９】
図１は、「通常オープン形態」における携帯電話機１の外観を示した図である。通常オープン形態とは、携帯電話機１の使用時における最も基本的な端末形態であり、表示パネル及び操作パネルを同一方向に向けて展開させた形態である。図中の（ａ）はユーザ側から見た正面図であり、（ｂ）はその左側面図である。
【００４０】
図２は、「通常クローズ形態」における携帯電話機１の外観を示した図である。通常クローズ形態は、携帯電話機の最も基本的な収納時の端末形態であり、通常オープン形態から、第１回転軸Ｘ１を中心として表示筐体３を回転させ、表示パネル及び操作パネルが内側となるように折り畳んだ形態である。
【００４１】
図３は、「逆オープン形態」における携帯電話機１の外観を示した図である。逆オープン形態は、主としてユーザ自身をカメラ撮影する際の端末形態であり、通常オープン形態から、第２回転軸Ｘ２を中心として表示筐体３を１８０°回転させ、表示パネル及び操作パネルを反対方向に向けて展開させた形態である。
【００４２】
図４は、「逆クローズ形態」における携帯電話機１の外観を示した図である。逆クローズ形態は、メイン表示画面３１をファインダーとして風景などをカメラ撮影したり、コンパクトな状態で通話やメイン表示画面３１の閲覧を行う場合の端末形態である。通常オープン形態での通話時には、通話用レシーバ３３が使用されるが、逆オープン形態での通話時には、通話用レシーバ３４が使用される。この逆クローズ形態は、逆オープン形態から、第１回転軸Ｘ１を中心として表示筐体３を回転させ、操作パネルを内側に、表示パネルを外側に向けて折り畳んだ形態である。
【００４３】
図５は、携帯電話機１を第２回転軸Ｘ２を中心として回転させる場合の様子を示した図である。まず、通常クローズ形態又は通常オープン形態から、第１回転軸Ｘ１を中心として回転させ、これらの中間の状態まで移行させた後、第２回転軸Ｘ２を中心として表示筐体３を回転させる。その後に、両筐体２，３を展開させれば図３に示した逆オープン形態となり、閉じれば図４に示した逆クローズ形態となる。
【００４４】
図６は、各端末形態を検出するための端末形態検出手段の一例を示した図である。端末形態検出手段は１対のマグネット及び磁気センサからなり、１つの回転軸に関する回転位置を検出することができる。この携帯電話機１には、２組の端末検出手段が内蔵され、各回転軸Ｘ１，Ｘ２ごとの回転位置を検出して、端末形態を判別している。
【００４５】
マグネット４０及び磁気センサ４１は、一方が操作筐体２内に、他方が表示筐体３内に設けられ、折り畳み形態の場合に、対向する位置に配置されている。このため、磁気センサ４１がマグネット４０の磁力線を検出すれば、折り畳み形態、すなわち、通常クローズ形態又は逆クローズ形態であると判別することができる。
【００４６】
また、マグネット４２及び磁気センサ４３は、一方が連結部４の回転軸Ｘ１に関する回転部材上に、他方が表示筐体３内に設けられ、操作パネル及び表示パネルが同一方向を向いている状態で互いに対向する位置に配置されている。このため、磁気センサ４３がマグネット４２の磁力線を検出すれば、通常オープン形態又は通常クローズ形態であると判別することができ、検出できない場合には、逆オープン形態又は逆クローズ形態であると判別することができる。なお、磁気センサ４１，４３には、ホール素子やＭＲ素子などを用いることができる。
【００４７】
次に、上述した携帯電話機１における端末ロックについて説明する。端末ロックは、ロックキー２２の操作により開始され、再びロックキー２２が操作されると終了する。端末ロック中は、フロントキー３５及びシャッターキー２３の操作入力が無効化されるキーロック状態になるとともに、表示画面３１，３２のバックライトを消灯させる省電力状態となる。また、待受け状態以外の場合、つまり、アプリケーションプログラムの実行中であっても、端末ロックを開始することができる。この場合、実行中のアプリケーションプログラムを終了させ、端末ロック中に画面表示は行われない。ただし、端末ロック中であっても、基地局からの着信信号を監視しており、着信信号の受信時には、着信音出力やバイブレーションによって着信報知を行うことができる。
【００４８】
ロックキー２２は、自動復帰型のスライド式スイッチからなり、ユーザはロックキー２２を一方向にスライドさせて操作する。スライド操作後にユーザが指を離せば、ロックキー２２はバネの付勢力等によって元の位置に自動復帰する。つまり、端末ロック中でない場合にロックキー２２をスライド操作させると、当該スライド操作が端末ロックの開始操作（ロックオン操作）となり、端末ロック中にロックキー２２をスライド操作させれば、当該スライド操作が端末ロックの終了操作（アンロック操作）となる。
【００４９】
図７は、携帯電話機１の内部構成の一例を示したブロック図である。主制御部５０は、携帯電話機１の主要な制御を行っているマイクロプロセッサからなる。ＲＦ通信部５１は、アンテナ２６を介してセルラー無線基地局（不図示）との間で無線通信を行うＲＦ（高周波）通信回路である。赤外線通信部５２は、ＩｒＤＡ（Infrared Data Association）通信ポートを介して外部機器（不図示）との間で双方向の赤外線データ通信を行う通信回路である。
【００５０】
端末形態判別部５３は、磁気センサ４１，４３の出力に基づいて端末形態を判別し、判別結果を主制御部５０へ出力している。メインキー２０、フロントキー３５、シャッターキー２３及びロックキー２２からの操作信号は、主制御部５０へ入力される。メモリ５４は、主制御部５０の使用するプログラムやデータが格納されている記憶装置であり、ＲＯＭやＲＡＭからなる。
【００５１】
音声制御部５５は、内蔵スピーカ５６による音声出力制御、通話用レシーバ３３，３４による受話音の出力制御、通話用マイクロフォン２１による送話音の入力制御を行っている。なお、内蔵スピーカ５６は、着信音及びキー操作音の出力や、動画像再生時の音声出力などに用いられる。ＬＣＤコントローラ５７は、主制御部５０からの表示データに基づいてメイン表示画面３１及びサブ表示画面３２を制御し、画面表示を行っている。
【００５２】
図８は、図７の主制御部５０の要部について詳細な構成例を示した機能ブロック図である。この主制御部５０は、端末ロック制御部６０、操作入力制御部６１、シークレット管理部６２、アプリ実行処理部６３及びピクト生成部６４からなる。
【００５３】
端末ロック制御部６０は、ロックキー２２のスライド操作を検出し、端末ロックの開始及び終了の決定を行って、端末ロックを制御している。すなわち、非ロック状態でロックキー操作が行われた場合にはロックオン操作であると判断して端末ロックを開始させ、ロック状態でロックキー操作が行われた場合にはアンロック操作であると判断し、端末ロックを終了させる。ただし、端末ロックの開始及び終了は、後述する条件が成立しなければ行われず、ロックキー２２を操作しても、常に、端末ロックの開始及び終了が行われるとは限らない。
【００５４】
すなわち、ロックオン操作が、無線通信中又は赤外線通信中に行われた場合、端末ロック制御部６０は、一旦、キーロック状態に移行させ、当該通信の終了を待って端末ロックを開始する。通信中に端末ロックを開始すれば、当該通信に悪影響を及ぼすおそれがある。このため、通信が終了するまではキーロック状態に移行させ、バックライトの消灯と、アプリケーションプログラムの実行は、通信終了後に行われる。なお、キーロック中は、キーロックを示すピクト（アイコン）がメイン表示画面３１に表示される。
【００５５】
また、ロックオン操作が、筐体展開時に行われた場合も、端末ロック制御部６０は、一旦、キーロック状態に移行させ、筐体が折り畳まれるのを待って端末ロックを開始する。折り畳み式の携帯電話機の場合、折り畳んだ形態で携行されるため、ロックオン操作後も折り畳まれるまでは、表示画面３１，３２を閲覧可能とし、筐体の折り畳み後に端末ロックに移行させる方が利便性が高い。スイベルタイプの携帯電話機１の場合、通常オープン形態又は逆オープン形態でロックオン操作が行われると、その後に、通常クローズ形態又は逆クローズ形態に移行するまで、キーロック状態となる。なお、アンロック操作は、筐体の展開及び折り畳みにかからわず行うことができ、キーロック状態でも行うことができる。
【００５６】
また、シークレットモード中に端末ロックされた後に、アンロック操作が行われた場合には、その後のパスワード認証に成功しなければ、端末ロックは終了しない。端末ロックが終了すると、中断されていたアプリケーションプログラムが再起動され、端末ロック時の実行状態が再現される。つまり、端末ロックの開始時がシークレットモードであれば、端末ロックの終了後もシークレットモードになる。このため、シークレットモードでは、パスワード認証に成功した場合にのみ、端末ロックを終了させる。なお、シークレットモードとは、アプリケーションプログラムによる画面表示が制限されたシークレットデータを表示中の状態、又は、当該シークレットデータを表示可能な状態をいう。
【００５７】
操作入力制御部６１は、メインキー２０、フロントキー３５及びシャッターキー２３の操作信号が入力され、アプリ実行処理部６３へキー操作情報として出力しているが、キーロック中及び端末ロック中は、予め定められた一部又は全部のキー操作情報が出力されず、これらの操作キーによる操作入力を無効化している。
【００５８】
ただし、キーロック中であっても、端末形態によって無効化されない操作キーがあってもよい。図９は、操作キー、端末形態及びキーロック状態の関係の一例を示した図である。この関係は、実行中のアプリケーションプログラムによって異なる。図中の「×」は、通常時は使用することができるが、キーロック中は無効化されることを示している。「○」は通常時だけでなく、キーロック中も操作入力が可能であることを示している。「−」は、アプリケーションプログラムの仕様や、操作キーの筐体上における配置などにより、常にキー操作できないことを示している。
【００５９】
ここでは、折り畳み時には物理的に操作できないメインキー２０についてはキーロック中の無効化は行われていない。また、フロントキー３５は、逆クローズ形態の場合にのみ操作可能であり、逆クローズ形態におけるキーロック中に無効化される。サイドキーであるシャッターキー２３は、端末形態にかかわらず操作可能であり、通常オープン形態及び逆オープン形態におけるキーロック中に無効化されず、通常クローズ形態及び逆クローズ形態におけるキーロック中に無効化される。
【００６０】
アプリ実行処理部６３は、通話、電子メールの送受信、電話帳編集、動画像の再生、静止画像や電子書籍の閲覧、表計算、ワードプロセッサなどの各種のアプリケーションプログラムが実行される処理部である。このアプリ実行処理部６３は、操作入力制御部６１を介して入力されるキー操作情報や、ＲＦ通信部５１又は赤外線通信部５２を介して入力される通信情報に基づいて、表示データ、音声信号を生成している。表示データは、ＬＣＤコントローラ５７に出力され、音声信号は、音声制御部５５へ出力される。
【００６１】
アプリ実行処理部６３は、端末ロック開始時にアプリケーションプログラムの実行中であれば、その実行状態をメモリ５４に格納して、当該アプリケーションプログラムの実行を終了する。そして、端末ロック終了時に当該実行状態をメモリ５４から読み出し、中断していたアプリケーションプログラムを上記実行状態から再開させる。
【００６２】
ピクト生成部６４は、電波状態や電池残量などをピクトとして画面表示するためのピクトデータを生成している。ここでは、キーロック状態の場合に、キーロックピクトを生成している。
【００６３】
シークレット管理部６２は、メモリ５４に記憶されているシークレットデータへのアクセスを制限する手段であり、パスワード認証手段を有している。ここでは、アプリ実行処理部６３によるシークレットデータの表示を許可するシークレットモードの管理を行っているものとする。シークレット管理部６２は、シークレットモードへの移行要求があった場合、予め定められたパスワードの入力をユーザに求める。このパスワード認証に成功すれば、動作モードがシークレットモードへ移行し、その後は、シークレットモードの終了要求があるまで、シークレットデータの表示が許可される。例えば、電話帳データの一部がシークレットデータであった場合、シークレットモードに移行すれば、電話帳編集プログラムは、全ての電話帳データを表示させることができるが、シークレットモードを終了すれば、シークレットデータ以外の電話帳データのみを表示させることができる。
【００６４】
図１０は、メイン表示画面３１の画面表示の一例を示した図である。メイン表示画面３１は、上段のピクト表示領域Ａ１、中段のアプリ表示領域Ａ２、及び、下段のガイドキー表示領域Ａ３に分割されている。図中の（ａ）には、キーロック状態における表示例が示されている。すなわち、ピクト表示領域Ａ１にはキーロック状態であることを示すキーロックピクトＰが表示されている。なお、アプリ表示領域Ａ２には、表計算のためのアプリケーションプログラムによってグラフ表示が行われている。また、図中の（ｂ）には、パスワード認証時の画面例が表示されている。このパスワード認証画面は、シークレットモードへの移行時と、シークレットモードで開始された端末ロックの終了時に表示される。
【００６５】
図１１は、携帯電話機１の要部に関する状態遷移の一例を示した図である。この携帯電話機１は、通常状態Ｓ１、省電力状態Ｓ２、端末ロック状態Ｓ３及びキーロック状態Ｓ４の４つの状態間を遷移している。通常状態は、電源投入後にロックキー２２の操作が行われず、メイン表示画面３１のバックライトが点灯している状態であり、待ち受け画面表示や各種のアプリケーションによる画面表示が行われている状態である。通常状態Ｓ１において、一定時間、キー操作が行われなかった場合、バックライトを消灯させて省電力状態Ｓ２に移行する。その後、いずれかのキーが操作されると、バックライトを点灯させて通常状態Ｓ１に戻る。
【００６６】
通常状態Ｓ１においてロックオン操作が行われた場合、通信中でなく、かつ、折り畳み形態であれば、直ちに端末ロック状態Ｓ３に移行する。端末ロック状態Ｓ３では、フロントキー３５及びシャッターキー２３の操作入力が無効化されるだけでなく、バックライトを消灯させ、さらに、画面表示を伴うアプリケーションプログラムの実行も終了させて省電力化が図られる。
【００６７】
一方、通常状態Ｓ１においてロックオン操作が行われた場合に、無線通信中又は赤外線通信中であれば、キーロック状態Ｓ４に移行し、キーロックピクトＰがメイン表示画面３１に表示される。また、展開形態においてロックオン操作が行われた場合にも、キーロック状態Ｓ４に移行する。キーロック状態Ｓ４において、通信が終了し、かつ、折り畳み形態となれば、自動的に端末ロック状態Ｓ３に移行する。ただし、その前にアンロック操作が行われれば、通常状態Ｓ１に戻る。
【００６８】
端末ロック状態Ｓ３において、アンロック操作が行われると、通常状態Ｓ１に戻る。つまり、フロントキー３５及びシャッターキー２３の操作入力を有効にするとともに、バックライトを点灯させ、中断中のアプリケーションプログラムを再起動させ、ロックオン時の実行状態が再現される。このため、アンロック後は、ロックオン時に行われていた情報処理を直ちに継続実行することができる。
【００６９】
ただし、シークレットモード中に開始された端末ロック状態Ｓ３であれば、パスワード入力を要求し、パスワード認証に成功した場合にのみ通常状態Ｓ１に戻り、パスワード認証に失敗した場合には、端末ロック状態Ｓ３が維持される。シークレットモード中に端末ロックされた携帯電話機１を携行している場合、端末ロックを終了させるだけで、第三者はシークレットデータを閲覧可能になる。これを防止するためには、シークレットモードを終了させてからロックオン操作を行わなければならず煩雑である。このため、アンロック操作時に、シークレットモードか否かを判別し、パスワード認証が行われる。
【００７０】
図１２〜図１４は、ロックキー２２の操作時における動作の一例を示したフローチャートである。
【００７１】
ロックキー２２が操作された場合、まず、端末ロック制御部６０が、端末ロック状態であるか否かを判別する（ステップＳ１０１）。その結果、端末ロック状態でなければ、ロックオン処理（ステップＳ１０２〜Ｓ１０８）を実行する。端末ロック状態であれば、アンロック処理（図１４のステップＳ３０１〜Ｓ３０８）を実行する。なお、図中では省略されているが、キーロック状態の場合にロックキー２２が操作された場合には、キーロックピクトＰを非表示にし、キー操作を有効化して、通常状態に戻る。
【００７２】
ロックオン処理では、まず、操作入力制御部６１がキー操作入力を無効化させる（ステップＳ１０２）。次に、通信中であるか否かが判別される（ステップＳ１０３）。ここでは、ＲＦ通信部５１を介して通話又はデータ通信を行っているか、あるいは、赤外線通信部５２を介してデータ通信を行っているかが判別される。また、端末が展開形態であるか否かが判別される（ステップＳ１０４）。その結果、いずれかの通信中である場合や展開形態である場合には、キーロック処理が行われる（ステップＳ１０５）。
【００７３】
図１３のステップＳ２０１〜Ｓ２０４は、キーロック処理の一例を示したフローチャートである。キーロック状態では、キーロックピクトがメイン表示画面３１に表示される（ステップＳ２０１）。その後、非通信状態であり、かつ、折り畳み形態となった場合に、キーロックピクトＰを非表示にして、ステップＳ１０５へ進み、端末ロック状態へ移行する（Ｓ２０１〜Ｓ２０４）。
【００７４】
通信中でなく、折り畳み形態であれば、アプリ実行処理部６３が、アプリケーションプログラムの実行状態をメモリ５４に保存して、アプリケーションの実行を終了させる（ステップＳ１０６，Ｓ１０７）。また、シークレット管理部６２が、シークレットモードであるか否かの実行状態をメモリ５４に保存する。その後に、端末ロック制御部６０が、メイン表示画面３１及びサブ表示画面３２のバックライトを消灯させ、ロックオン処理を終了する（ステップＳ１０８）。
【００７５】
図１４のステップＳ３０１〜Ｓ３０９は、アンロック処理の一例を示したフローチャートである。アンロック処理では、まず、バックライトを点灯させ、メモリ５４からロックオン時の実行状態が読み出される（ステップＳ３０１，Ｓ３０２）。この実行状態に基づいて、シークレットモード中であるか否かが判別される（ステップＳ３０３）。シークレットモードである場合、シークレット管理部６２が、メイン表示画面３１にパスワード入力画面を表示させて、パスワード認証が行われる（ステップＳ３０４）。その結果、パスワード認証に失敗した場合には、再びバックライトを消灯させ、端末ロック状態を終了させることなくアンロック処理を終了する（ステップＳ３０５，Ｓ３０６）。
【００７６】
一方、シークレットモードでない場合、あるいは、パスワード認証に成功した場合には、ロックオン時に実行中であったアプリケーションプログラムが起動される。メモリ５４から読み出された上記実行状態には、シークレットモードに関する情報だけでなく、ロックオン操作により中断されたアプリケーションプログラムと、当該アプリケーションプログラムの中断時における実行状態に関する情報が含まれている。このため、アプリ実行処理部６３は、上記実行状態に基づいて、中断されていたアプリケーションプログラムを再起動させ、中断時の実行状態を復元させる（ステップＳ３０７，Ｓ３０８）。そして、キー操作を有効化して、アンロック処理を終了する（ステップＳ３０９）。
【００７７】
例えば、動画像再生中にロックオン操作が行われた場合であれば、実行中のアプリケーションプログラムが動画像再生プログラムであることや、再生中の動画像データのファイル名や、中断時の再生位置（再生中のフレーム情報）や、音量などの再生条件が実行状態としてメモリ５４に格納される。このため、アンロック時に、同じ再生条件で、中断された再生位置（フレーム）又はその直後の再生位置から、動画像再生を再開することができる。
【００７８】
また、電子書籍の閲覧中にロックオン操作が行われた場合であれば、実行中のアプリケーションプログラムが電子書籍ビュアープログラムであることや、閲覧中の電子書籍データのファイル名や、閲覧中のページ位置やスクロール位置、表示フォントなどの閲覧条件が実行状態としてメモリ５４に格納される。このため、アンロック時に、同じ閲覧条件で、中断されたページ位置及びスクロール位置から電子書籍の閲覧を再開することができる。
【００７９】
本実施の形態によれば、ロックオン操作を行えば、端末ロック状態が終了するまで、キーロック状態になるとともに、メイン表示画面３１のバックライトが消灯され、更にアプリケーションプログラムの実行が中断され、省電力状態に移行させることができる。従って、アプリケーションプログラムの実行中でも、簡単な操作を行うだけで、キーロック及び省電力化を実現することができる。
【００８０】
また、ロックオン時の実行状態をメモリ５４に保存し、アンロック時には、この実行状態に基づいて、アプリケーションプログラムをロックオン時の実行状態から再開させることができる。従って、中断していた情報処理を迅速に再開することができる。
【００８１】
また、ロックオン操作が、シークレットモードにおいて行われた場合には、アンロック操作時にパスワード認証を行って、認証成功時にのみ端末ロックを終了させている。このため、端末ロックを終了させるだけで、携帯通信端末がシークレットモードで使用可能になることはなく、ロックオン操作前に、予めシークレットモードを終了させておく必要がない。
【００８２】
また、ロックオン操作が、無線通信中又は赤外線通信中に行われた場合には、一旦、キーロック状態に移行させ、当該通信の終了を待って端末ロック状態に移行させている。このため、基地局や外部装置に悪影響を与えるような中断処理が行われるのを防止することができる。また、ロックオン操作が、展開形態で行われた場合には、折り畳まれるのを待って端末ロック状態に移行させ、操作性を向上させている。
【００８３】
実施の形態２．
実施の形態１では、アンロック時に、アプリ実行処理部６３が、ロックオン時の実行状態からアプリケーションプログラムの実行を再開する場合について説明した。これに対し、本実施の形態では、ロックオン時の実行状態よりも更に遡った実行状態から、アプリケーションプログラムの実行を再開させ、ロックオン前の表示データを再表示させる場合について説明する。
【００８４】
例えば、動画像再生中にロックオン操作が行われ、動画像再生が中断された場合、アンロック時に、ロックオン時に表示されていたフレーム画像データ、あるいは、その直後のフレーム画像データから再生を再開した場合、ユーザは、前回、何処まで見ていたのかを思い出せない場合がある。また、続けて鑑賞しなければ、状況把握が難しいような場面もある。
【００８５】
同様にして、多数のページからなる電子書籍の閲覧中に、ロックオン操作が行われ、閲覧が中断された場合、アンロック時に、ロックオン時に表示されていたページから閲覧を再開した場合、ユーザは、前回、何処まで読んでいたのかを思い出せない場合がある。
【００８６】
このため、このような画面表示の順序が予め定められているアプリケーションプログラムの場合、アンロック時に、ロックオン時よりも当該表示順序を所定範囲だけ遡らせて再開させることにより、中断していた情報処理をスムーズに再開させることができる。
【００８７】
例えば、動画像再生の場合であれば、アンロック時に、ロックオン時に再生中であったフレームを基準として、再生方向とは逆方向に、予め定められたフレーム数だけ遡ったフレームから再開すればよい。また、電子書籍閲覧の場合であれば、ロックオン時の閲覧位置を基準として、１頁前の閲覧位置、又は、読み進む方向とは逆方向に予め定められた行数だけスクロールさせた閲覧位置から再開すればよい。
【００８８】
なお、上記実施の形態では、ロックキー２２がバネにより付勢されて自動復帰するスライドキーである場合について説明したが、本発明は、この様な場合に限定されない。例えば、自動復帰せず、キーの位置を端末ロック状態及び通常状態にそれぞれ対応させたスライド式スイッチを用いることもできる。また、ロックキー２２は、ボタンキーなどのスライド式スイッチ以外の操作入力手段であってもよいし、ロックオン操作とアンロック操作が異なる操作キーに割り当てられていてもよい。
【図面の簡単な説明】
【００８９】
【図１】本発明による携帯通信端末の一例を示した図であり、スイベルタイプの携帯電話機１の通常オープン形態を示した外観図である。
【図２】図１の携帯電話機１の通常クローズ形態を示した外観図である。
【図３】図１の携帯電話機１の逆オープン形態を示した外観図である。
【図４】図１の携帯電話機１の逆クローズ形態を示した外観図である。
【図５】携帯電話機１を第２回転軸Ｘ２を中心として回転させる場合の様子を示した図である。
【図６】各端末形態を検出するための端末形態検出手段の一例を示した図である。
【図７】携帯電話機１の内部構成の一例を示したブロック図である。
【図８】図７の主制御部５０の要部について詳細な構成例を示した機能ブロック図である。
【図９】操作キー、端末形態及びキーロック状態の関係の一例を示した図である。
【図１０】メイン表示画面３１の画面表示の一例を示した図である。
【図１１】携帯電話機１の要部に関する状態遷移の一例を示した図である。
【図１２】ロックキー２２の操作時における動作の一例を示したフローチャートである。
【図１３】キーロック処理の一例を示したフローチャートである。
【図１４】アンロック処理の一例を示したフローチャートである。
【符号の説明】
【００９０】
２  操作筐体
３  表示筐体
４  連結部
２０  メインキー
２２  ロックキー
２３  シャッターキー
３１  メイン表示画面
３５  フロントキー
４０，４２  マグネット
４１，４３  磁気センサ
５０  主制御部
５１  ＲＦ通信部
５２  赤外線通信部
５３  端末形態判別部
５４  メモリ
６０  端末ロック制御部
６１  操作入力制御部
６２  シークレット管理部
６３  アプリ実行処理部
６４  ピクト生成部
Ｘ１  第１回転軸
Ｘ２  第２回転軸
Ａ１  ピクト表示領域
Ａ２  アプリ表示領域
Ａ３  ガイドキー表示領域
Ｐ  キーロックピクト
Ｓ１  通常状態
Ｓ２  省電力状態
Ｓ３  端末ロック状態
Ｓ４  キーロック状態
【図１】
2006066974.tif 000003
【図２】
2006066974.tif 000004
【図３】
2006066974.tif 000005
【図４】
2006066974.tif 000006
【図５】
2006066974.tif 000007
【図６】
2006066974.tif 000008
【図７】
2006066974.tif 000009
【図８】
2006066974.tif 000010
【図９】
2006066974.tif 000011
【図１０】
2006066974.tif 000012
【図１１】
2006066974.tif 000013
【図１２】
2006066974.tif 000014
【図１３】
2006066974.tif 000015
【図１４】
2006066974.tif 000016